(57)【要約】  本発明は平面形状の振動板を有する平面スピーカーに関するものである。  本発明の平面スピーカーはベースフレームと、隣接した左右に互いに反対の極性を持ち、これらの極性が互いに一定の間隔で離隔されるように、前記ベースフレームに結合される少なくとも一つの磁気体と、振動板と、一面または両面上にボイスコイルが渦巻き状に形成され、前記磁気体の互いに反対である極性との間に垂直に引き込まれ、前記振動板に結合される少なくとも一つのコイル板と、前記コイル板が前記磁気体と離隔された状態を維持して、垂直方向に振動可能となるように前記コイル板に結合され、前記コイル板の位置と振動方向をガイドするコイル板ガイド手段とを含む。本発明によるコイル板ガイド手段を備える平面スピーカーを用いると、コイル板が上下方向に振動しても、永久磁石や上下プレートに接触しないように位置をガイドするため、コイル板が内部部品に干渉されて不正常に音が出力される現象を防止する。
2007513567.tif 000002
【特許請求の範囲】
【請求項１】
ベースフレームと、
隣接した左右に互いに反対の極性を持ち、これらの極性が互いに一定の間隔で離隔されるように、前記ベースフレームに結合される少なくとも一つの磁気体と、振動板と、一面または両面上にボイスコイルが渦巻き状に形成され、前記磁気体の互いに反対である極性との間に垂直に引き込まれ、前記振動板に結合される少なくとも一つのコイル板と、前記コイル板が前記磁気体と離隔された状態を維持して、垂直方向に振動可能となるように前記コイル板に結合され、前記コイル板の位置と振動方向をガイドするコイル板ガイド手段とを含むことを特徴とする平面スピーカー。
【請求項２】
請求項１において、前記ベースフレームは、上端面と下端面が開放される形状に形成され、前記振動板は、コイル板の上側に結合され、前記コイル板ガイド手段は、前記振動板の下側に結合されて、振動板として機能するように構成されたことを特徴とする平面スピーカー。
【請求項３】
請求項１において、前記コイル板の下側先端が前記ベースフレームの底面を貫通するように、少なくても前記コイル板の下側先端と対応する前記ベースフレームの底面に開口部が形成され、前記コイル板ガイド手段は、伸縮性を有するように形成され、前記コイル板の下側先端と前記ベースフレームの底面に結合される固定部材とを含むことを特徴とする平面スピーカー。
【請求項４】
請求項３において、前記固定部材は、前記コイル板の長さ方向に沿って溝（谷）と山が形成されるように、しわになったことを特徴とする平面スピーカー。
【請求項５】
請求項３または４において、前記固定部材には貫通口が形成されたことを特徴とする平面スピーカー。
【請求項６】
請求項１ないし４のいずれかにおいて、前記それぞれの磁気体は、上端と下端に互いに反対の極性を持ちながら、互いに一定の間隔で離隔されたことを特徴とする平面スピーカー。
【請求項７】
請求項６において、前記磁気体は上端と下端に互いに反対の極性を発生する永久磁石と、前記永久磁石の上端に結合される上端プレートと、前記永久磁石の下端に結合されると共に、前記ベースフレームの底面に結合される下端プレートとを含むことを特徴とする平面スピーカー。
【請求項８】
請求項６において、前記コイル板の一面または両面上に渦巻き状に形成されたボイスコイルの両対向端部が、前記磁気体の上端及び下端にそれぞれ位置することを特徴とする平面スピーカー。
【請求項９】
請求項１ないし４のいずれかにおいて、前記ベースフレームには、壁面を貫通する少なくとも一つの開口部が形成されることを特徴とする平面スピーカー。
【請求項１０】
請求項１ないし４のいずれかにおいて、前記磁気体は、前記磁気体の互いに異なる極性を有するそれぞれの部分は、水平方向に凹凸部を有する櫛形に形成され、それぞれの凹部内にそれぞれの凸部が一定の間隔で離隔されて挿入され、前記コイル板は、前記一定の間隔内に垂直に引き込まれるように折り曲げられた板形状に形成されたことを特徴とする平面スピーカー。
【請求項１１】
請求項１ないし４のいずれかにおいて、前記コイル板は、平面（平板）形に形成された複数個が互いに平行に配列されることを特徴とする平面スピーカー。
【発明の詳細な説明】
【技術分野】
【０００１】
本発明は平面形状の振動板を有する平面スピーカーに関し、より詳しくはコイル板が永久磁石や上下プレートに接触しないように、コイル板の振動方向をガイドできるように構成された平面スピーカーに関するものである。
【背景技術】
【０００２】
以下添付された図面を参照して従来の平面スピーカーに関して説明する。
【０００３】
図１は、従来の平面スピーカーの概略的な断面図で、図２は、従来平面スピーカーに適用可能なボイスコイルと、永久磁石とプレートの結合構造を示す分解斜視図である。
【０００４】
図１及び図２に示されたように、上端に垂直に平面振動板（３０）が固着されるコイル板（３６）は、上側プレート（３１a、３１b、３１c、３１d、３２a、３２b、３２c、３２d）と、下側プレート（３３a、３３b、３３c、３３d、３４a、３４b、３４c、３４d）の間に固着された永久磁石（３７）の組立体の間に引き込まれ、永久磁石と上下プレートの組立体は、ベースフレーム（３５）に固着される。そして平面振動板（３０）端部にエッジ（３９）が相互接合されてガイドリングによって固定される。
【０００５】
スピーカー駆動回路から発生した電流は、コイル板（３６）に固着されたボイスコイル（３８）に供給され、ボイスコイル（３８）に磁場を形成させ、これら磁場は対面する永久磁石（３７）組立体の極性から放出される磁場と相互作用し、コイル板（３６）とこれと固着された平面振動板（３０）を上下に振動させる力を発生させる。このような振動板（３０）の振動によって音が外部に出力される。
【０００６】
この際、コイル板（３６）は、平面振動板（３０）の振動を妨げないように、上側及び下側プレート（３１〜３４）と接触しない状態を維持するとともに、磁場の影響を多く受けるように最大限永久磁石（３７）に近いように結合される。しかし、前記のような構造に構成された従来の平面スピーカーは、上側プレート（３１、３２）間の間隔及び下側プレート（３３、３４）間の間隔形状により、コイル板（３６）を折り曲げる製造上の困難があった。また、スピーカーの長期間の使用によってコイル板（３６）の結合方向や形状が変形される場合。コイル板（３６）が上側及び下側プレート（３１〜３４）に接触されて、振動板（３０）の振動が正常に動作しないという問題点があった。
【発明の開示】
【発明が解決しようとする課題】
【０００７】
本発明は前記のような問題点を解決するためのもので、コイル板が永久磁石や上下プレートに接触しないように、コイル板の振動方向及び位置を限定するためのコイル板ガイド手段を備える平面スピーカーを提供することを目的とする。
【課題を解決するための手段】
【０００８】
上記目的を達成するために、本発明の平面スピーカーは、ベースフレームと隣接した左右に互いに反対極性を有し、これらの極性が互いに一定間隔離隔されるように前記ベースフレームに結合される少なくても一つの磁気体と、振動板と、一面または両面上にボイスコイルが渦巻き状に形成され、前記磁気体の互いに反対である極性との間に垂直に引き込まれ、前記振動板に結合される少なくとも一つのコイル板と、前記コイル板が前記磁気体と離隔された状態を維持し、垂直方向への振動が可能となるように前記コイル板に結合され、前記コイル板の位置と振動方向をガイドするコイル板ガイド手段を含む。
【０００９】
前記ベースフレームは上端面と下端面が開放される形状に形成され、前記振動板はコイル板の上側に結合され、前記コイル板ガイド手段は前記振動板の下側に結合されて振動板として機能するように構成されることができる。これと他に前記コイル板の下側先端が前記ベースフレームの底面を貫通するように、少なくとも前記コイル板の下側先端と対応する前記ベースフレームの底面に開口部が形成され、前記コイル板ガイド手段は伸縮性を有するように形成され、前記コイル板の下側先端と前記ベースフレームの底面に結合される固定部材を含むことができる。この場合、前記固定部材は前記コイル板の長さ方向に沿って溝と山が形成されるように、しわになったことが好ましい。また、前記固定部材は貫通口が形成されることができる。前記それぞれの磁気体は上端と下端に互いに反対の極性を有し、互いに一定間隔離隔されることが好ましい。この際、前記磁気体は上端と下端に互いに反対の極性を発生する永久磁石と、前記永久磁石の上端に結合される上端プレートと、前記永久磁石の下端に結合されると共に前記ベースフレームの底面に結合される下端プレートを含むことが好ましい。この場合、前記コイル板の一面または両面上に渦巻き状に形成されたボイスコイルの両対向端部が、前記磁気体の上端及び下端にそれぞれ位置することができる。
【００１０】
前記ベースフレームには壁面を貫通する少なくとも一つの開口部が形成されることができる。
【００１１】
前記磁気体は、前記磁気体の相異なる極性を有するそれぞれの部分は、水平方向に凹凸部を有する櫛形に形成され、それぞれ凹部内にそれぞれの凸部が一定間隔で離隔されて挿入され、前記コイル板は、前記一定間隔内に垂直に引き込まれるように折り曲げられた板形状に形成されることができる。
【００１２】
前記コイル板は、平面に形成された複数が互いに平行に配列されることができる。
【発明を実施するための最良の形態】
【００１３】
以下、添付された図面を参照して本発明によるコイル板ガイド手段を備える平面スピーカーの実施例を説明する。
【００１４】
図３は本発明による平面スピーカー第１実施例の分解斜視図である。
【００１５】
図３に示されたように、本発明によるコイル板ガイド手段を備える平面スピーカーは、上端部が開放された凹形状に形成されるベースフレーム（１００）と、上端と下端に互いに反対の極性を発生するように構成され、上端と下端の極性位置が交差するように一定間隔離隔され、ベースフレーム（１００）に結合される第１磁気体（２００a）及び第２磁気体（２００b）と、ベースフレーム（１００）の内部に引き込みが可能な面積の平板形状に形成され、ベースフレーム（１００）の上端面に接着可能な接着部材（３１０）が端部に備えられる振動板（３００）と、電流の流れのためのボイスコイル（４１０）が磁気体（２００a、２００b）との間隔の長さ方向に固着される平面（平板）形状に形成され、磁気体（２００a、２００b）との間に引き込みが可能な角度で振動板（３００）の下端面に結合されるコイル板（４００）と、磁気体（２００a、２００b）と離隔された状態を維持して垂直方向への振動が可能となるように、コイル板（４００）の位置と振動方向をガイドする固定部材（５００）とを含んで構成される。
【００１６】
磁気体（２００a、２００b）は、ベースフレーム（１００）内部に挿入可能な大きさに形成され、上端と下端に互いに反対の極性を発生する永久磁石（２１０a、２１０b）と、永久磁石（２１０a、２１０b）の上端に結合される上端プレート（２２０a、２２０b）と、永久磁石（２１０a、２１０b）の下端に結合されると共に、ベースフレーム（１００）の底面に結合される下端プレート（２３０a、２３０b）とを含んで構成される。この際、図に示されたように磁気体（２００a、２００b）のそれぞれは凹凸部を有する櫛形に形成され、それぞれの凹部内にそれぞれの凸部が挿入された形態である。この際、磁気体（２００a、２００b）の少なくとも上端及び下端プレート（２２０a、２２０b、２３０a、２３０b）のみを、このような櫛形に形成することが好ましい。
【００１７】
ボイスコイル（４１０）は、コイル板（４００）に渦巻き状に形成されて結合され、コイル板（４００）は、ボイスコイル（４１０）の上端部及び下端部が上端プレート（２２０a、２２０b）との間と、下端プレード（２３０a、２３０b）との間にそれぞれ位置するように、二つの磁気体（２００a、２００b）との間に引き込まれる。
【００１８】
本発明に適用される磁気体（２００a。２００b）と、コイル板（４００）の構成及び結合構造は、従来の平面スピーカーに適用される磁気体及びコイル板と同一なので、これに対する詳細な説明は省略する。
【００１９】
また、ベースフレーム（１００）は、コイル板（４００）の下側先端が底面に露出するように、コイル板（４００）の下側先端と対応する部位の底面に底面開口部（１２０）が形成され、固定部材（５００）は、伸縮性ある材質または伸縮性を有する構造に形成され、コイル板（４００）の下側先端とベースフレーム（１００）の底面に結合される。
【００２０】
この際、底面開口部（１２０）の形状は、コイル板（４００）の折曲形状によって決定される。
【００２１】
したがって、第１磁気体（２００a）と第２磁気体（２００b）の間に引き込まれるコイル板（４００）の下端部の先端は、ベースフレーム（１００）の底面に結合される固定部材（５００）に結合されて水平方向への移動が限定される。したがって、本発明に適用されるコイル板（４００）は、長期間に振動運動し、磁気体（２００a、２００b）が発生する磁力の大きさや方向が変更されても水平座標上の位置は変更されないので、磁気体（２００a、２００b）との接触が発生しない。
【００２２】
また、ベースフレーム（１００）は、振動板（３００）によって上端が密閉されても内・外部間の空気流動が可能となるように、側壁面を貫通する一つ以上の側面開口部（１１０）が形成される。ベースフレーム（１００）に側面開口部（１１０）が形成されない場合、ベースフレーム（１００）の上端を密閉するように結合される振動板（３００）が上下に振動すると、ベースフレーム（１００）の内部圧力が上昇するため、振動板（３００）は電流と磁束のみによる正常な振動ができなくなり、ベースフレーム（１００）の内部空気圧の影響を受けるようになる。しかし、図３に示された実施例のようにベースフレーム（１００）に側面開口部（１１０）が形成されると、振動板（３００）が上下に振動してもベースフレーム（１００）の内部圧力の変動が発生しないので、振動板（３００）は電流と磁束のみによる正常な振動ができる。
【００２３】
図４は図３に示されたコイル板及び磁気体が結合されたベースフレームの底面図である。
【００２４】
図４に示されたようにベースフレーム（１００）にコイル板（４００）と磁気体（２００a、２００b）が結合されると、コイル板（４００）の下側先端の全部と、第１下端プレート（２３０a）及び第２下端プレート（２３０b）の底面一部が、ベースフレーム（１００）の底面開口部（１２０）介して外部に露出する。また、第１下端プレート（２３０a）及び第２下端プレート（２３０b）は、ベースフレーム（１００）に固定結合されるため、垂直方向への移動が可能ではないが、コイル板（４００）はベースフレーム（１００）との直接的な結合を持たないため、垂直方向への移動においてベースフレーム（１００）との干渉が発生しない。
【００２５】
図５は図３に示された固定部材の平面図である。
【００２６】
図５に示されたように本発明に適用される固定部材（５００）は、ベースフレーム（１００）の底面開口部と対応する部位の一部に貫通口（５１０）が形成される。
【００２７】
この際、貫通口（５１０）は、コイル板（４００）の下側先端と対応する部位にコイル板（４００）との結合のためのコイル板結合部（５２０）が残るように形成される。
【００２８】
本発明に適用される固定部材（５００）は貫通口（５１０）が形成されることにより、振動板（３００）の上下振動によるベースフレーム（１００）の内部圧力変動を防止するだけでなく、コイル板（４００）と結合されるコイル板結合部（５２０）の流動性が向上する。したがって、 コイル板（４００）は固定部材（５００）との結合に大きく影響を受けずに上下振動が可能である。
【００２９】
図６は本発明による平面スピーカー第１実施例の底面図である。
【００３０】
図４に示されたコイル板（４００）及び磁気体（２００a、２００b）が結合されたベースフレームの底面に、図５に示された固定部材（５００）が結合されると、図６に示されたようにコイル板（４００）と、第１下端プレート（２３０a）及び第２下端プレート（２３０b）の一部が貫通口（５１０）を介して外部に露出する。
【００３１】
本実施例では、コイル板（４００）がより自由に振動できるように縦方向のコイル板（４００）下側先端にのみ固定部材（５００）が結合されているが、コイル板（４００）と固定部材（５００）間の結合位置及び範囲は、ここに限定されるものではなく、多様に変更可能である。図７は図６に示された平面形スピーカーのＡ-Ａ線に沿って切断した断面図である。
【００３２】
図７に示されたように、ボイスコイル（４１０）が結合されているコイル板（４００）は、第１ 磁気体（２００a）や第２磁気体（２００b）に接触しない状態を維持するように固定部材（５００）と結合される。
【００３３】
したがって、本発明によるコイル板ガイド手段を備える平面スピーカーを用いると、長期間使用してもコイル板（４００）が変形されて磁気体（２００a、２００b）に接触する場合が発生しないので、スピーカーの寿命が長くなると共に、出力される音の品質が悪くなる現象を防止する。
【００３４】
また、ベースフレーム（１００）の底面には下向に突出されるベース突起（１３０）が形成され、ベース突起（１３０）が形成されることにより、底面開口部（１２０）は地面に接触せず、コイル板（４００）は上下に振動しても地面と接触しない。これによってコイル板（４００）は正常な振動が可能となり、振動板（３００）は正常に音を出力する。
【００３５】
図８はボイスコイルがコイル板の前面と後面に結合される形状を図示し、図９は図８に示されたＢ-Ｂ線に沿って切断した断面図である。コイル板（４００）に印加される力を増大させるために、コイル板（４００）に結合されるコイルの断面積を大きくする場合、図８および図９に示されたようにコイル板（４００）の両側面にボイスコイル（４１０）を結合させることができる。
【００３６】
コイル板（４００）の両側面にボイスコイル（４１０）が結合される場合、コイル板（４００）は中心部位置に側面を貫通する連結溝（４０２）が形成され、ボイスコイル（４１０）はコイル板（４００）の一側面に渦巻き状に形成されて結合された後、連結溝（４０２）を介してコイル板（４００）の反対側の側面に越えた後、連続的に渦巻き状に形成されて結合される。この際、ボイスコイル（４１０）の結合位置が、コイル板（４００）の一側面でコイル板（４００）の両側面に変更されても、ボイスコイル（４１０）の渦巻き方向は同一に維持するので、磁気体（２００）から発生する磁束及びボイスコイル（４１０）に流れる電流によってコイル板（４００）に印加される力の方向は変更されない。
【００３７】
図１０はコイル板の前面と後面に前面ボイスコイルと後面ボイスコイルがそれぞれ結合される形状を図示し、図１１は図１０に示されたＣ-Ｃ線に沿って切断した断面図である。
【００３８】
図１０及び図１１に示されたように、コイル板（４００）の両側面に結合されるボイスコイル（４１０）が、それぞれ分離して結合される場合、ボイスコイル（４１０）はコイル板（４００）の前面上に渦巻き状に形成されて結合される前面ボイスコイル（４１２）と、コイル板（４００）の後面上に渦巻き状に形成されて結合される後面ボイスコイル（４１４）とから構成される。
【００３９】
また、コイル板（４００）は中心部一部を貫通するように形成される連結溝（４０２）と、連結溝（４０２）を介して前面ボイスコイル（４１２）とボイスコイル（４１４）を回路的に連結する連結手段（４０４）を追加して備える。
【００４０】
この際、連結溝（４０２）を介して前面ボイスコイル（４１２）と後面ボイスコイル（４１４）を連結させる連結手段（４０４）は、前面ボイスコイル（４１２）と後面ボイスコイル（４１４）に接触する導体に適用される。また、前面ボイスコイル（４１２）と後面ボイスコイル（４１４）を連結させる方法は、溶接及び半田付けのように前面ボイスコイル（４１２）と後面ボイスコイル（４１４）間の電流流れが可能にする結合方法であれば、いろいろな方法で適用が可能である。
【００４１】
図１２はコイル板の前面と後面に前面ボイスコイルと、後面ボイスコイルがそれぞれ結合された本発明による平面スピーカーの断面図である。
【００４２】
図１２に示されたように前面ボイスコイル（４１２）と、後面ボイスコイル（４１４）がコイル板（４００）の前面と後面にそれぞれ結合されると、ボイスコイル（４１０）の断面積が図７に示された平面スピーカーに比して２倍に増加され、これによってコイル板（４００）を上向に移動させる力も増加される。
【００４３】
また、コイル板（４００）に結合されるボイスコイル（４１０）の構造が変更されても、ベースフレーム（１００）に結合される磁気体（２００）及び振動板（３００）の形状及び結合構造は図３a及び図３bに示された平面スピーカーと同一に維持される。
【００４４】
図１３は本発明による平面スピーカー第２実施例の分解斜視図である。
【００４５】
第２実施例は本出願人が出願した「多数のコイル板を備える平面スピーカー」に固定部材（５００'）を適用した実施例として、第１実施例に適用される磁気体（２００）及びコイル板（４００）、固定部材（５００）とは形状の差がある平面磁気体（２００'）及び平面コイル板（４００'）、平面固定部材（５００'）がそれぞれ適用される。
【００４６】
第２実施例に適用される平面磁気体（２００'）は、棒形状の平面永久磁石（２１０'）の上端と下端に上側平面プレート（２２０'）と下側平面プレート（２３０'）とがそれぞれ結合されるように構成され、上側平面プレート（２２０'）と下側平面プレート（２３０'）の極性位置が交差するように一定間隔離隔されてベースフレーム（１００）に結合される。
【００４７】
また、平面コイル板（４００'）は、平面磁気体（２００'）との間にそれぞれ引き込まれるように独立的に構成され、平面ボイスコイル（４１０'）は、平面コイル板（４００'）上に渦巻き状に形成されるように結合される。この際、平面コイル板（４００'）は、平面ボイスコイル（４１０'）の上端部及び下端部が上側平面プレート（２２０'）との間と、下側平面プレート（２３０'）との間にそれぞれ位置するように平面磁気体（２００'）との間に引き込まれる。
【００４８】
したがって、第２実施例に適用される底面平面開口部（１２０'）は、平面コイル板（４００'）の下側先端が底面に露出ができるように棒形状に形成され、平面固定部材（５００'）の平面貫通口（５１０'）及び平面コイル板結合具（５２０'）も棒形状に形成される。
【００４９】
第２実施例に適用される平面固定部材（５００'）は、第１実施例に適用される固定部材（５００）と比べた時、形状のみ差があり、機能及び役割は同一なので、これに対する詳細な説明は省略する。
【００５０】
図１４は図１３に示されたコイル板及び磁気体が結合されたベースフレームの底面図である。
【００５１】
ベースフレーム（１００）に平面コイル板（４００'）と平面磁気体（２００'）が結合されると、平面コイル板（４００'）の下側先端の全部と、下側平面プレート（２３０'）の底面一部がベースフレーム（１００）の底面平面開口部（１２０'）を介して外部に露出する。この際、下側平面プレート（２３０'）は、ベースフレーム（１００）に固定結合されるので、垂直方向への移動が不可能であるが、平面コイル板（４００'）は、ベースフレーム（１００）との直接的な結合を持たないので、垂直方向への移動においてベースフレーム（１００）との干渉が発生しない。
【００５２】
図１５は図１３に示された固定部材の平面図である。
【００５３】
第１実施例と同じように第２実施例に適用される平面固定部材（５００'）も、底面平面開口部（１２０'）と対応する部位に平面貫通口（５１０'）が形成され、平面コイル板（４００'）の下側先端と対応する部位には平面コイル板結合部（５２０'）が維持される。
【００５４】
この際、底面平面開口部（１２０'）と平面コイル板（４００'）が長方形状に形成されるので、平面貫通口（５１０'）と平面コイル板結合部（５２０'） も長方形状に形成される。
【００５５】
図１６は本発明による平面スピーカーの第２実施例の底面図である。
【００５６】
図１４に示された平面コイル板（４００'）及び平面磁気体（２００'）が結合されたベースフレーム（１００）の底面に、図１５に示された平面固定部材（５００'）が結合されると、図１６に示されたように下側平面プレート（２３０'）の底面一部が平面貫通口（５１０'）を介して外部に露出し、平面コイル板（４００'）は、下側先端全体が平面固定部材（５００'）に接着されるので外部に露出しない。
【００５７】
本実施例では、平面コイル板（４００'）の下側先端全体に平面固定部材（５００'）が結合されているが、平面コイル板（４００'）と平面固定部材（５００'）間の結合位置及び範囲は、ここに限定されるものではなく、多様に変更可能である。
【００５８】
図１７は図１６に示された平面形スピーカーのＢ-Ｂ線に沿って切断した断面図である。
【００５９】
図１７に示されたように平面ボイスコイル（４１０'）が結合されている平面コイル板（４００'）は、平面磁気体（２００'）に接触しない状態を維持するように平面固定部材（５００'）に結合されるので、平面磁気体（２００'）に接触する場合が発生しない。
【００６０】
また、第２実施例に適用される平面コイル板（４００'）は、第１実施例に適用されるコイル板（４００）とは異なって個別的に左右方向に曲がることができるので、平面固定部材（５００'）の必要性がもっと重要である。
【００６１】
図１８はしわが形成された固定部材の適用形状を示す。
【００６２】
本発明に適用される平面固定部材（５００'）は、平面コイル板（４００'）下側先端の長さ方向に沿って溝（谷）と山が形成されるように、しわになるように形成されることができる。このように平面固定部材（５００'）にしわが形成されると、水平方向への伸長性が向上するため、平面コイル板（４００'）は、固定部材（５００'）の固定力に大きな影響を受けず、振動運動が可能である。
【００６３】
図１９は平面コイル板の前面と後面に前面平面ボイスコイルと、後面平面ボイスコイルがそれぞれ結合された本発明による平面スピーカーの断面図である。
【００６４】
図１９に示されたように平面コイル板（４００'）でも前面と後面に平面ボイスコイル（４１０'）が結合されるように構成されることができる。
【００６５】
平面コイル板（４００'）の前面と後面に平面ボイスコイル（４１０'）が結合される構造は、図８ないし図１２に示されたようにコイル板（４００）にボイスコイル（４１０）が結合される構造と同一に構成されるので、これに対する詳細な説明は省略する。
【００６６】
また、平面コイル板（４００'）が振動しても、ベースフレーム（１００）の内部圧力の変化に影響を与えないと、固定部材（５００'）は、平面貫通口（５１０'）（図１８参照）が形成されないように、図１９に示されたように構成されることもできる。
【００６７】
図２０はコイル板ガイド手段がまた一つの振動板に適用される形状を示す。
【００６８】
本発明に適用されるコイル板ガイド手段がまた一つの振動板に適用されると、図２０に示されたようにベースフレーム（１００）の上端部と下端部は開放するように形成され、コイル板（４００'）の上端と下端の両先端に振動板（３００）がそれぞれ結合されて平面スピーカーは中心線を基準にして対称をなす。
【００６９】
ベースフレーム（１００）の上端及び下端に振動板（３００）が結合されると、ベースフレーム（１００）の上端と下端に結合された一対の振動板（３００）は、コイル板（３００）の振動方向をガイドすると共に、ベースフレーム（１００）の上側と下側にそれぞれ音を出力する役割をする。
【００７０】
このようにコイル板ガイド手段がまた一つの振動板（３００）に適用される構造は、コイル板（４００）の形状に構わず多様な実施例に適用可能である。
【００７１】
以上、本発明を好ましい実施例を用いて詳しく説明したが、本発明の範囲は特定実施例に限定されるものではなく、添付された特許請求範囲によって解釈されなければならない。また、この技術分野で通常の知識を有する者であれば、本発明の範疇を逸脱しない限りにおいて、あらゆる変形や変更が可能であることはいうまでもない。
【００７２】
例えば、本発明の平面スピーカーは、一つの磁気体のみが使用できる。この場合、磁気体の相異なる二つの極性は、互いに所定の間隔をおいて対面する多様な形状に構成できる。この際、図示された実施例とは異なり、磁気体の極性は水平方向に１列にだけ形成される。また、ボイスコイル板は、ボイスコイルが水平方向に形成された両端部中、一端部に対応するボイスコイル板の一部のみが、前記磁気体の対面する互いに異なる極性の間に引き込まれる。
【産業上の利用可能性】
【００７３】
本発明によるコイル板ガイド手段を備える平面スピーカーを用いると、コイル板が上下方向に振動しても、永久磁石や上下プレートに接触しないように位置をガイドするため、コイル板が内部部品に干渉されて不正常に音が出力される現象を防止する。
【００７４】
また、本発明によるコイル板ガイド手段を備える平面スピーカーは、内部部品間の接触が発生 しないので、寿命が長くなるという長所がある。
【図面の簡単な説明】
【００７５】
【図１】従来平面スピーカーの概略的断面図。
【図２】図２は従来の平面スピーカーに適用されるボイスコイルと、永久磁石とプレートの結合構造を示す分解斜視図。
【図３】本発明による平面スピーカーの第１実施例の分解斜視図。
【図４】図３に示されたコイル板及び磁気体が結合されたベースフレームの底面図。
【図５】図３に示された固定部材の平面図。
【図６】本発明による平面スピーカーの第１実施例の底面図。
【図７】図６に示された平面型スピーカーのＡ-Ａ線に沿って切断した断面図。
【図８】ボイスコイルがコイル板の前面と後面に結合される形状を示す図。
【図９】図８に示されたＢ-Ｂ線に沿って切断した断面図。
【図１０】コイル板の前面と後面に前面ボイスコイルと、後面ボイスコイルがそれぞれ結合される形状を示す図。
【図１１】図１０に示されたＣ-Ｃ線を切断した断面図。
【図１２】コイル板の前面と後面に前面ボイスコイルと、後面ボイスコイルがそれぞれ結合された本発明による平面スピーカーの断面図。
【図１３】本発明による平面スピーカー第２実施例の分解斜視図。
【図１４】図１３に示されたコイル板及び磁気体が結合されたベースフレームの底面図。
【図１５】図１３に示された固定部材の平面図。
【図１６】本発明による平面スピーカーの第２実施例の底面図。
【図１７】図１６に示された平面型スピーカーのＢ-Ｂ線に沿って切断した断面図。
【図１８】しわが形成された固定部材の適用形状を示す図。
【図１９】平面コイル板の前面と、後面に前面平面ボイスコイルと、後面平面ボイスコイルがそれぞれ結合された本発明による平面スピーカーの断面図。
【図２０】コイル板ガイド手段がまた一つの振動板に適用される形状を示す図。
【図１】
2007513567.tif 000003
【図２】
2007513567.tif 000004
【図３】
2007513567.tif 000005
【図４】
2007513567.tif 000006
【図５】
2007513567.tif 000007
【図６】
2007513567.tif 000008
【図７】
2007513567.tif 000009
【図８】
2007513567.tif 000010
【図９】
2007513567.tif 000011
【図１０】
2007513567.tif 000012
【図１１】
2007513567.tif 000013
【図１２】
2007513567.tif 000014
【図１３】
2007513567.tif 000015
【図１４】
2007513567.tif 000016
【図１５】
2007513567.tif 000017
【図１６】
2007513567.tif 000018
【図１７】
2007513567.tif 000019
【図１８】
2007513567.tif 000020
【図１９】
2007513567.tif 000021
【図２０】
2007513567.tif 000022
【国際調査報告】
2007513567.tif 000023